(57)【要約】  軸受の外輪及び内輪の内向面が、液状の潤滑性を有する撥水剤で覆われ、更に該撥水剤又は他の撥水性材料で、該外輪及び該内輪の露出面も覆われている軸受を備えるリールとする。
2017068666.tif 000002
【特許請求の範囲】
【請求項１】
外輪と、該外輪と間隔を設けて配設される内輪とを備え、場合によっては更に、該外輪及び該内輪の間に該外輪及び該内輪に接して設けられる転動体と、該転動体を所定間隔で保持する保持器とを有する軸受を備える、釣用リールであって、
該外輪と該内輪の内向面が、潤滑性を備えた撥水剤で覆われており、且つ該撥水剤又は他の撥水性材料で、該外輪及び該内輪の露出面が覆われていることを特徴とする、釣用リール。
【請求項２】
前記外輪及び前記内輪間の間隙の開口部付近に、少なくとも一端が、前記外輪及び前記内輪の何れとも接していない、前記撥水材で覆われたシールドを有する、請求項１に記載の釣用リール。
【請求項３】
前記転動体及び前記保持器を備え、これらの表面が前記撥水剤で覆われている、請求項１又は２に記載の釣用リール。
【請求項４】
前記撥水剤は、該撥水剤で覆われた軸受の表面に水滴を滴下した際の接触角が８５％以上となる撥水性を有する、請求項１〜３の何れか１項に記載の釣用リール。
【請求項５】
前記撥水剤が、パーフルオロポリエーテル（ＰＦＰＥ）を基油とする液体である、請求項１〜４の何れか１項に記載の釣用リール。
【請求項６】
前記外輪と前記内輪の内向面が、液状の撥水剤で覆われ、該外輪及び該内輪の露出面が、粘性又は固体の撥水性材料で覆われている、請求項１〜５の何れか１項に記載の釣用リール。
【請求項７】
前記該外輪及び該内輪間の間隙の開口部から外気に通じる経路に、更に前記撥水剤又は他の撥水性材料で覆われているシールドが設けられている、請求項１〜６の何れか１項に記載の釣用リール。
【請求項８】
前記軸受は、前記内輪の回転を一方向に制限する一方向軸受である、請求項１〜７の何れか１項に記載の釣用リール。
【発明の詳細な説明】
【技術分野】
【０００１】
本発明は、耐腐食性及び耐塩がみ特性に優れる釣用リールに関する。
【背景技術】
【０００２】
釣用リールは、ロータ、スプール、ハンドル軸等の多くの回転部品を有し、この種の回転部品は軸受により、リール本体や他の部品に回転自在に支持されている。釣用リールでは、軸受として通常玉軸受が用いられ、この種の軸受は、図６に示すように、相互に間隔を設けて配設される外輪３及び内輪４と、これらに接して設けられる転動体７と、転動体７を所定間隔で保持する保持器８とを備え、外輪３と内輪４との間の間隙は、通常外部に通じている。【０００３】
一般に、釣用リールは水分に曝される環境で使用されるため、水分がリール内部に入り込んで軸受の腐食を生じ易い。また、海水に曝される環境で使用される場合は、海水が軸受の転動体と外輪・内輪の軌道面との間の間隙に侵入し、これが結晶化して回転部材の回転を妨げ異音発生や固着の原因になる事がある（いわゆる塩がみ）。従って、釣用リールでは、軸受等の部材の腐食防止と、海水の結晶化による回転機能の低下を防止する必要がある。【０００４】
釣用リールに用いられる軸受は、通常、硬度及び耐衝撃性と共に、耐腐食性にも優れるステンレス鋼で作製される。しかし、海水に曝される環境で使用される場合などでは、高い耐腐食性が要求され、ステンレス鋼自体の特性だけでは、耐腐食性が不十分なこともある。【０００５】
塩がみによる回転動作の不良に対する対処としては、従来、図６に示すように、外輪４と内輪５との間に、これらに接する状態で弾性体からなるシールド９を設けた軸受２０が使用されていた。このシールド９は、外輪３と内輪４との間隙に海水の浸入を妨げるには有効であるが、海水の浸入を防止するためにシールド９が両輪に接触して設けられるため、外輪３及び内輪４が相対回転する際に負荷が大きくなるという問題があった。【０００６】
これに対して、特許文献１及び２は、磁性流体を磁力で外輪と内輪と間の間隙における所定の場所に保持させて、海水の浸入を防止する軸受を提案している。この軸受によれば、外輪及び内輪に接するのは、流体であるため、外輪及び内輪が相対回転する際に負荷が少ないといった利点がある。しかし、この軸受では、磁性流体を特定の位置に保持するための磁石等の部材が必要であり、軸受が大きくなり、高コストにもなってしまうという問題がある。また、磁性の沈殿物が発生して、外輪や内輪に付着するといった問題もある。【０００７】
一方、特許文献３は、リールのハウジングの開口部付近にフッ素化合物又はシリコン化合物の粒子を付着させて、水分のリール内への侵入を防ぐリールを提案している。このリールは、一定レベルでは、水分のリール内への侵入を防ぐことができるが、その効果は十分とは言えない。【０００８】
また、特許文献４は、外輪と内輪の露出面をクロム酸処理して耐腐食性を増大させると共に、外輪と内輪との間の間隙に撥水性グリース又はオイルを充填した軸受を提案している。この軸受では、磁石等の追加の部材を必要とすることなく、外輪と内輪との間隙に海水が浸入するのを防ぎ、更に外輪及び内輪の耐腐食性を向上させることができる。しかし、この軸受では、外輪及び内輪の露出面で海水が結晶化し易く、ここで発生した塩が、外輪及び内輪の間隙に侵入して塩がみの原因になることがある。また、外輪と内輪との間の間隙が撥水性の材料で充填されているため、幾分回転時の負荷が増大し、特に撥水性グリース等の比較的粘度の大きな撥水性材料を外輪及び内輪間の間隙に充填すると、回転時の負荷が増大するといった問題がある。
【先行技術文献】
【特許文献】
【０００９】
【特許文献１】国際公開ＷＯ２０１３／１６１１６２５Ａ１
【特許文献２】特開昭５７−３３２２２号公報
【特許文献３】特開２０００−４１５４３号公報
【特許文献４】特開２００４−２９０１５３号公報
【発明の概要】
【発明が解決しようとする課題】
【００１０】
本発明の目的は、上述した従来の釣用リールに伴う問題を解消して、軸受の外輪及び内輪の相対回転に対して負荷を増大することなく、耐腐食性及び耐塩がみ特性を向上した釣用リールを提供することにある。
【発明の解決手段】
【００１１】
本発明者らは、外輪及び内輪の間隙に撥水剤を留まらせるといった特許文献４に開示する軸受の発想を転換し、外輪及び内輪の内向面を潤滑性を備えた撥水剤で覆うと共に、撥水性材料で外輪及び内輪の露出面をも覆うこと、典型的には、軸受を構成する部材の表面全体を撥水性材料で覆うことで、上述の問題を解決し得ることを見出し、本発明を完成した。
すなわち、本発明は、以下の釣用リールを提供する。
［１］  外輪と、該外輪と間隔を設けて配設される内輪とを備え、場合によっては更に該外輪及び該内輪の間に該外輪及び該内輪に接して設けられる転動体と、該転動体を所定間隔で保持する保持器とを有する軸受を備える、釣用リールであって、
該外輪及び該内輪の内向面が、潤滑性を備えた撥水剤、典型的には液状の潤滑性を備えた撥水剤で覆われており、且つ該撥水剤又は他の撥水性材料で、該外輪及び該内輪の露出面が覆われていることを特徴とする、釣用リール。
［２］  前記外輪及び前記内輪間の間隙の開口部付近に、少なくとも一端が、前記外輪及び前記内輪の何れとも接していない、前記撥水材で覆われたシールドを有する、［１］に記載の釣用リール。
［３］  前記転動体及び前記保持器を備え、これらの表面が前記撥水剤で覆われている、［１］又は［２］に記載の釣用リール。
［４］  前記撥水剤は、該撥水剤で覆われた軸受の表面に水滴を滴下した際の接触角が８５度以上となる撥水性を有する、［１］〜［３］の何れか１項に記載の釣用リール。
［５］  前記撥水剤が、パーフルオロポリエーテル（ＰＦＰＥ）を基油とする液体である、［１］〜［４］の何れか１項に記載の釣用リール。
［６］  前記外輪と前記内輪の内向面が、液状の撥水剤で覆われ、該外輪及び該内輪の露出面が、粘性又は固体の撥水性材料で覆われている、［１］〜［５］の何れか１項に記載の釣用リール。
［７］  前記該外輪及び該内輪間の間隙の開口部から外気に通じる経路に、更に前記撥水剤又は他の撥水性材料で覆われているシールドが設けられている、［１］〜［６］の何れか１項に記載の釣用リール。
［８］  前記軸受は、前記内輪の回転を一方向に制限する一方向軸受である、［１］〜［７］の何れか１項に記載の釣用リール。
【００１２】
本発明の釣用リールでは、上述の通り、軸受の外輪と内輪の内向面が、撥水剤（典型的には液状の撥水剤）で覆われており、通常、外輪と内輪の間に空隙が存在する。従って、軸受の外輪と内輪との相対的な回転に対する負荷を発生させることなく、外輪と内輪との間隙へ浸入した水分を弾き、外輪と内輪との間隙での海水が結晶化するのを防ぐことができる。また、本発明の釣用リールでは、軸受の外輪及び内輪の露出面が同じ撥水剤又は他の撥水性材料で覆われているため、外輪及び内輪の露出面で水分を弾くことができ、外輪と内輪との間隙への水分の浸入を防止し、外輪及び内輪の露出面での海水の結晶化を防ぐこともできる。これにより、軸受の耐腐食性が向上され、塩がみの発生による回転時の負荷の増大や異音を防止することもできる。
本発明の好ましい実施形態では、外輪と内輪との間の間隙の開口部付近にシールドが設けられ、外輪及び内輪の内向面と露出面に異なる種類の撥水剤が適用される場合に、シールドは個々の領域を区画・保持する機能も果たし得る。
【図面の簡単な説明】
【００１３】
【図１】図１は、本発明の一の実施形態による釣用リールにおける各部品の配置の概要を模式的に示す一部断面図である。
【図２】図２は、本発明の他の実施形態による軸受を模式的に示す一部断面図である。
【図３】図３は、本発明の更に他の実施形態による軸受を模式的に示す一部断面図である。
【図４】図４は、図１に示す破線部分の断面図であり、本発明の一の実施形態による釣用リールの軸受及びその周辺の部品を模式的に示す。
【図５】図５は、実施例の耐結晶化能試験の結果を示す白黒写真である。右側は、ＰＦＰＥオイルで覆った軸受であり、左側はＰＦＰＥオイルを塗布しなかった軸受である。
【図６】図６は、従来の軸受の一例を模式的に示す断面図である。
【発明を実施するための形態】
【００１４】
本発明の実施形態を図面を参照しながら詳細に説明する。但し、本発明は、以下に説明する実施形態に限定されるものではない。
【００１５】
図１は、本発明の一の実施形態による釣用リールの回転部品及びその周辺の部品の配置を模式的に示し、図２は、本発明の他の実施形態による軸受を模式的に示し、図３は、本発明の更に他の実施形態による軸受を模式的に示し、図４は、図１に示す釣用リールの軸受及びその周辺の部品を拡大して模式的に示す。
【００１６】
図１に示す実施形態の釣用リール３０では、ロータ２５、ピニオンギア２１、及びハンドル軸２３などの回転部品を有しており、これらは、回転運動によって得られた駆動力を他の部品に伝達したり、或いは他の部品から伝達された駆動力により回転する。これら回転部品２１、２３、２５は、軸受２０又は２７によりリール本体や他の部品に回転自在に支持されている。なお、軸受２７は、ロータ２５の回転を一方向に制限するためのストッパ機構を備えている。以下では、代表例として、主に軸受２０を説明するが、本発明を軸受２７についても適用できる事は言うまでも無い。また、図２〜４に示す軸受は、転がり軸受であるが、転動体及び保持器を有しないすべり軸受など他の軸受に適用できることも言うまでも無い。
【００１７】
図２に示す通り、本発明の一の実施形態よる釣用リールの軸受２０は、外輪３と、外輪３と間隔を設けて配設される内輪４と、外輪３及び内輪４の間にこれらに接して設けられる転動体７と、転動体７を所定間隔で保持する保持器８とを備える。また、この軸受２０では、外輪３及び内輪４の内向面５が、撥水剤１で覆われているが、外輪３及び内輪４の間には間隙が存在する。撥水剤１は、必ずしもこれに限られないが、好ましくは液状の撥水剤が適用される。このため、この軸受２０では、外輪３と内輪４との相対的な回転に対する負荷を増大させずに、外輪３及び内輪４の内向面５に存在する水分を弾くことができる。撥水剤１の存在により海水も弾かれ、外輪３及び内輪４の内向面５での塩の形成が防止される。
この軸受２０では、同じ（液状の）撥水剤１で、外輪３及び内輪４の露出面６も覆われている。これにより、外輪３及び内輪４間の間隙への水分の浸入が防止されると共に、外輪３及び内輪４の露出面６での塩の形成が防止され、外輪３及び内輪４間の間隙への塩の侵入も防止される。これらの作用の結果、この軸受では、軸受の耐腐食性及び耐塩がみ特性が向上される。
図２及び３に示すように、この軸受２０では、外輪３及び内輪４の内向面５を覆っている撥水剤１によって、転動体７及び保持器８の表面も覆われている。これにより、塩がみの直接の原因である軸受の転動体７と外輪３・内輪４の軌道面との間への海水の侵入及びこれらの間での塩の形成が妨げられる。従って、外輪３及び内輪４の内向面５並びにこれらの間にある構成部品の表面は、総て撥水剤１で覆われていることが好ましい。
【００１８】
外輪３及び内輪４の内向面５を覆っている撥水剤１と、外輪３及び内輪４の露出面６を覆う撥水材料２は、図２に示す実施形態による軸受のように同じであってもよいが、図３に示す実施形態による軸受のように異なっていてもよい。例えば、外輪３及び内輪４の内向面５を、液状（従って低粘性）の撥水剤１で覆い、外輪３及び内輪４の露出面６を、比較的粘度の高い撥水剤又は固形の撥水性材料２で覆ってもよい。
【００１９】
液状の撥水剤１としては、例えば、パーフルオロポリエーテル（ＰＦＰＥ）を基油とする液体など、潤滑特性を有する撥水性材料を挙げることができるが、中でも当該撥水剤１で覆った軸受の表面に水滴を滴下した際の接触角が８５度以上となる撥水性を有するものが好ましい。
また、他の撥水性材料２としても、パーフルオロポリエーテル（ＰＦＰＥ）を基油とする液体に、粘稠剤としてポリテトラフルオロエチレン（ＰＴＦＥ）を添加したグリース等を挙げることができ、同様に、当該撥水性材料２で覆った軸受の表面に水滴を滴下した際の接触角が８５度以上となる撥水性を有するものが好ましい。固形の撥水性材料２としては、一般的に利用されているフッ素コーティングが挙げられる。
【００２０】
図３に示すように、本発明の軸受２０では、外輪３と内輪４との間隙の開口部付近にシールド９を有してもよい。このシールド９は、その一端が固定部材１１等で外輪３又は内輪４に連結されるが、他端は、両輪３、４の何れにも接していない。このシールド９は、撥水材料２と協働して、水分の外輪３及び内輪４間への侵入を防ぐ。また、異なる撥水材料１、２を用いる場合などで、外輪３及び内輪４の内向面５に存在する撥水剤１を、外輪３及び内輪４の露出面６などの他の部位に存在する撥水材料２から区画する機能も有する。このシールド９は、典型的には、ゴム等の弾性体で構成されるが金属製であってもよい。この軸受では、このシールド９の表面は、外輪及び内輪の内向面５を覆う撥水剤１によって覆われており、これにより水分及び海水の外輪３及び内輪４間への侵入がより高度に防止され、耐腐食性及び耐塩がみ特性が増強される。
【００２１】
本発明においては、軸受２０を構成する材料に付いて特に制限はなく、例えば、従来硬度や耐衝撃性の観点から用いられていたステンレス鋼を用いればよい。具体的には、例えば、ＳＵＳ４４０Ｃ、ＳＵＪ２を挙げることができる。本発明による軸受２０では、軸受を構成する各部材の表面が撥水材料１、２で覆われるために、軸受２０を構成する材料を耐腐食性の点を優先して選択しなくともよい。従って、耐腐食性よりも強度や耐衝撃性を優先して軸受を構成する材料を選択することができる。もっとも、軸受２０を構成する材料として、耐腐食性の高い材料を選択してよいし、軸受表面に耐腐食性を高めるコーティングを設けてもよい。硬度及び耐衝撃性に優れる材料としては、例えば、ＳＵＪ２を挙げることができ、耐腐食性に特に優れる材料としては、例えば、高耐食マルテンサイト鋼を挙げることができる。また、軸受表面に設けられるコーティングとしては、例えば金属酸化物などの不動態皮膜等を挙げることができる。
【００２２】
図４に示すように、本発明の実施の形態によるリールでは、外輪及び内輪間の間隙の開口部から外気に通じる経路に、更にシールが設けてもよい。このシール１０も、前述した撥水材料２及びシールド９と共に、軸受への水分及び海水の進行を妨げ耐腐食性及び耐塩がみ特性を向上させる。この位置で設けられるシール１０も、ゴム等の弾性体又は金属等で構成することでき、経路を構成する部材にその一部の端部を固定してもよいし、端部全体を固定してもよい。この実施形態では、シール１０も、液状の撥水剤１で覆われており、耐腐食性及び耐塩がみ特性が高められている。
図１に示すように、本発明の実施の形態によるリールでは、軸受２０、２７近傍に、水分がリール内部からリール外への移動を可能とした開口部２６（水抜き穴）を設けてもよい。
【００２３】
本発明のリールでは、外輪、内輪、転動体及び保持器の構造、形状について特に制限は無い。従って、例えば転動体は、ボール、円筒ローラー、円錐ローラー、樽状の球面ローラー、針状ローラーなどが含まれ得る。また、他の構成部品について特に制限はなく、種々の部品で構成してよい。また、上述した撥水構造は、軸受を有するあらゆる部品に適用可能であることは留意されるべきである。本発明のリールは、単純な構造により、回転部材の回転に対する負荷を生じさせることなく、高い耐腐食性及び耐塩がみ特性を発揮する。
【実施例】
【００２４】
以下、本発明の特徴を実施例により具体的に説明する。但し、本発明は以下の実施例によって何ら限定されるものではない。【００２５】
１．各軸受の濃縮塩水を用いた耐結晶化能の評価
ＳＵＳ４４０Ｃ製の軸受（シールド付き）を２つ準備し、一方に、ＰＦＰＥオイルを滴下して表面を覆い、他方には、ＰＦＰＥオイルを滴下せず、エステル系グリースを転動体等の外輪及び内輪間の間隙に塗布した後、５．５％の塩水の充分量で軸受全体を覆い、その後２５℃の環境下で塩水が乾燥するまで約４日間そのまま放置して、塩の形成を観察した。
図５に示す通り、ＰＦＰＥオイルで表面を覆った軸受では、全く塩の形成は見られなかったものの（右）、ＰＦＰＥオイルを滴下しなかった軸受では、半日経過頃から塩の形成が観察され、約４日間経過時には、表面全体が塩で覆われる状態となった（左）。【００２６】
２．各リールの各種性能の評価比較
以下の表１に示すリールについて、回転トルク、耐塩がみ特性、コスト、組み立て容易性、及び寸法特性を評価する。【００２７】
【表１】
2017068666.tif 000003
【００２８】
以下の表２に各レールの各特性の評価を纏めて示す。
【表２】
2017068666.tif 000004
【００２９】
上記の通り、本発明による釣用リールは、回転トルク、耐塩がみ特性、コスト、組み立て容易性、及び寸法特性の何れも優れた特性を有することが実証された。
【符号の説明】
【００３０】
１：（液状の）撥水剤
２：撥水材料
３：外輪
４：内輪
５：外輪及び内輪の内向面
６：外輪及び内輪の露出面
７：転動体
８：保持器
９：シールド
１０：シール
１１：固定部材
２０：軸受
２１：ピニオンギア
２２：スプール
２３：ハンドル軸
２４：ハンドル
２５：ロータ
２６：開口部（水抜き穴）
２７：一方向軸受
２７−１：保持器
２７−２：外輪
２７−３：ローラー（円筒形状）
２７−４：内輪
３０：釣用リール
【図１】
2017068666.tif 000005
【図２】
2017068666.tif 000006
【図３】
2017068666.tif 000007
【図４】
2017068666.tif 000008
【図５】
2017068666.tif 000009
【図６】
2017068666.tif 000010
【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
外輪と、該外輪と間隔を設けて配設される内輪とを備え、場合によっては更に、該外輪及び該内輪の間に該外輪及び該内輪に接して設けられる転動体と、該転動体を所定間隔で保持する保持器とを有する軸受を備える、釣用リールであって、
該外輪と該内輪の内向面が、潤滑性を備えた撥水剤で覆われており、且つ該撥水剤又は他の撥水性材料で、該外輪及び該内輪の露出面が覆われていることを特徴とする、釣用リール。
【請求項２】
前記外輪及び前記内輪間の間隙の開口部付近に、少なくとも一端が、前記外輪及び前記内輪の何れとも接していない、前記撥水材で覆われたシールドを有する、請求項１に記載の釣用リール。
【請求項３】
前記転動体及び前記保持器を備え、これらの表面が前記撥水剤で覆われている、請求項１又は２に記載の釣用リール。
【請求項４】
前記撥水剤は、該撥水剤で覆われた軸受の表面に水滴を滴下した際の接触角が８５°以上となる撥水性を有する、請求項１〜３の何れか１項に記載の釣用リール。
【請求項５】
前記撥水剤が、パーフルオロポリエーテル（ＰＦＰＥ）を基油とする液体である、請求項１〜４の何れか１項に記載の釣用リール。
【請求項６】
前記外輪と前記内輪の内向面が、液状の撥水剤で覆われ、該外輪及び該内輪の露出面が、粘性又は固体の撥水性材料で覆われている、請求項１〜５の何れか１項に記載の釣用リール。
【請求項７】
前記該外輪及び該内輪間の間隙の開口部から外気に通じる経路に、更に前記撥水剤又は他の撥水性材料で覆われているシールドが設けられている、請求項１〜６の何れか１項に記載の釣用リール。
【請求項８】
前記軸受は、前記内輪の回転を一方向に制限する一方向軸受である、請求項１〜７の何れか１項に記載の釣用リール。
【請求項９】
前記外輪と前記内輪との間の前記間隙は、撥水剤で充填されずに維持されている、請求項１〜８の何れか１項に記載の釣用リール。
【請求項１０】
前記軸受を、前記リールの外部から該リールの摺動部品間の隙間を通って水分が到達し得る箇所に備える、請求項１〜６、８及び９の何れか１項に記載の釣用リール。
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
外輪と、該外輪と間隔を設けて配設される内輪とを備え、場合によっては更に、該外輪及び該内輪の間に該外輪及び該内輪に接して設けられる転動体と、該転動体を所定間隔で保持する保持器とを有する軸受を備える、釣用リールであって、
該外輪と該内輪の内向面が、潤滑性を備えた撥水剤で覆われており、且つ該撥水剤又は他の撥水性材料で、該外輪及び該内輪の露出面が覆われており、
該外輪及び該内輪間の間隙の開口部付近に、少なくとも一端が、該外輪及び該内輪の何れとも接していない、該撥水材で覆われたシールドを有することを特徴とする、釣用リール。
【請求項２】
（削除）
【請求項３】
前記転動体及び前記保持器を備え、これらの表面が前記撥水剤で覆われている、請求項１に記載の釣用リール。
【請求項４】
前記撥水剤は、該撥水剤で覆われた軸受の表面に水滴を滴下した際の接触角が８５°以上となる撥水性を有する、請求項１又は３に記載の釣用リール。
【請求項５】
前記撥水剤が、パーフルオロポリエーテル（ＰＦＰＥ）を基油とする液体である、請求項１、３及び４の何れか１項に記載の釣用リール。
【請求項６】
前記外輪と前記内輪の内向面が、液状の撥水剤で覆われ、該外輪及び該内輪の露出面が、粘性又は固体の撥水性材料で覆われている、請求項１、３〜５の何れか１項に記載の釣用リール。
【請求項７】
前記該外輪及び該内輪間の間隙の開口部から外気に通じる経路に、更に前記撥水剤又は他の撥水性材料で覆われているシールドが設けられている、請求項１、３〜６の何れか１項に記載の釣用リール。
【請求項８】
前記軸受は、前記内輪の回転を一方向に制限する一方向軸受である、請求項１、３〜７の何れか１項に記載の釣用リール。
【請求項９】
前記外輪と前記内輪との間の前記間隙は、撥水剤で充填されずに維持されている、請求項１、３〜８の何れか１項に記載の釣用リール。
【請求項１０】
前記軸受を、前記リールの外部から該リールの摺動部品間の隙間を通って水分が到達し得る箇所に備える、請求項１、３〜６、８及び９の何れか１項に記載の釣用リール。
【国際調査報告】
2017068666.tif 000011
2017068666.tif 000012
2017068666.tif 000013
2017068666.tif 000014